(57)【要約】二つの入れ子式リフト棒が突き出した位置で荷重がかけられ、引っ込めた位置から突き出した位置に駆動される。リフト棒の曲げ強度を改良するために、リフト棒が二つの入れ子式チューブ（４、５）により取り巻かれ、そのチューブの一つ（４）が入れ子式第１リフト棒（１）の外方端部（６）に固定され、かつ第２リフト棒（２）上を内方に伸びた第２入れ子式チューブ（５）上をスライドすることができる。
2004527702.tif 000002
【特許請求の範囲】
【請求項１】
少なくも二つの入り子式リフト棒をいずれかの適した手段で引っ込めた位置から突き出した位置に任意の形で運転することができ、それらが突き出した位置で荷重がかけられるようにされた、入り子式リフト棒装置において、該リフト棒（１、２）が少なくとも二つの入り子式チューブ（４、５）により取り巻かれ、その一方は、第１リフト棒（１）の外方端部（６）に取り付けられ、第２リフト棒（２）上を内方に伸びた第２入り子式チューブ（５）上にはまるようにされており、該チューブ（４、５）間には、第１入れ子式チューブ（４）の内方端部の第１連結手段（８）と第２入れ子式チューブ（５）の外方端部の第２連結手段（９）とがあり、該連結手段（８、９）が、入れ子式チューブ（４、５）がそれらの突き出した位置では離れることが防止されるが、チューブが互いに重なって引っ込められることができるようにされており、かつ第２入れ子式チューブ（５）が、突き出し可能な第１リフト棒（１）上をスライドするリング（１０）の形でその外方端部に第１支持ポイントを有し、及びリフト棒（２）の少なくとも外方端部及びその内方端部で第２リフト棒（２）を支持していることを特徴とする装置。
【請求項２】
第２入れ子式チューブと第２リフト棒との間の支持は、第２リフト棒（２）上の固定リング（１１、１２）又はチューブにより行われることを特徴とする請求項１に記載の装置。
【請求項３】
固定リング（１２）は、第２入れ子式チューブ（５）の内方端部にベアリングを形成し、また連結リングの一部を形成し、第２リフト棒上の外側方向へのチューブの動きを制限することを特徴とする請求項２に記載の装置。
【請求項４】
第２入れ子式チューブ（５）の第１ベアリングポイント（Ａ）が、第１リフト棒（１）の中央に置かれており、第１リフト棒が突き出した位置にあるとき、それにより第２入れ子式チューブ（５）の内方端部が、第２リフト棒（２）の約中央にあることを特徴とする請求項１に記載の装置。
【発明の詳細な説明】
【技術分野】
【０００１】
本発明は、突き出した位置で荷重がかけられ、引っ込めた位置から突き出した位置に任意の形で運転される、少なくとも二つの入り子式の突き出すことができるリフト棒装置に関する。
【背景技術】
【０００２】
このタイプのリフト棒は、例えば、持ち上げ手段用医療設備内で、人が座った位置から立ち上がった位置、又はある位置から他の位置に持ち上げられるときに使用されている。この種の入れ子式リフト棒は、また患者のために他の持ち上げる目的のために使用されている。
【０００３】
リフト棒は、通常それらの縦方向に荷重がかけられるためにそのような荷重に耐えるように設計されている。リフト棒は、ギヤを介して液圧式、又はロープ駆動手段を使用した手動式、あるいはクランク手段の補助により駆動されている。
【０００４】
入り子式棒が互いに突き出した位置にあるとき、リフト棒に曲げによる意図しない荷重がかけられることが、例えば、医療設備内で生じる。このことによって外側リフト棒が、それが第１リフト棒の外側端部から突き出している領域で曲げられることになる。
【発明の開示】
【発明が解決しようとする課題】
【０００５】
本発明の目的は、リフト棒が入り子状態にあるときリフト棒の強度を強化すること、及びこのことが、簡単な手段で安価に達成されることである。この改良は、これらの設計修正が複雑でなく、現在のリフト棒に容易に適用できる。
【課題を解決するための手段】
【０００６】
本発明は、少なくも二つの入り子式リフト棒をいずれかの適した手段で引っ込めた位置から突き出した位置に任意の形で運転することができ、それらが突き出した位置で荷重がかけられるようにされた、入り子式リフト棒装置において、該リフト棒（１、２）が少なくとも二つの入り子式チューブ（４、５）により取り巻かれ、その一方は、第１リフト棒（１）の外方端部（６）に取り付けられ、第２リフト棒（２）上を内方に伸びた第２入り子式チューブ（５）上にはまるようにされており、該チューブ（４、５）間には、第１入れ子式チューブ（４）の内方端部の第１連結手段（８）と第２入れ子式チューブ（５）の外方端部の第２連結手段（９）とがあり、該連結手段（８、９）が、入れ子式チューブ（４、５）がそれらの突き出した位置では離れることが防止されるが、チューブが互いに重なって引っ込められることができるようにされており、かつ第２入れ子式チューブ（５）が、突き出し可能な第１リフト棒（１）上をスライドするリング（１０）の形でその外方端部に第１支持ポイントを有し、及びリフト棒（２）の少なくとも外方端部及びその内方端部で第２リフト棒（２）を支持していることを特徴とする装置にある。
【発明を実施するための最良の形態】
【０００７】
図１及び２に示す装置は、第２リフト棒２に入り子式にはまり込むリフト棒１を有し、該リフト棒２は、第１リフト棒１を置換する駆動手段３に固定されている。駆動手段３は、例えば、液圧エンジン又はギヤモータのようないずれの公知のエンジンでよく、リフト棒１がリフト棒２に入れ子式にはまるように駆動する。リフト棒１が図１に示される位置でリフト棒２から突き出しているとき、リフト棒に荷重がかけられる。
【０００８】
リフト棒１および２は、二つの入れ子式チューブ４及び５により取り囲まれている。第１入れ子式チューブ４は、第２入れ子式チューブ５上に置換されることができる。図１は、入れ子式チューブ４及び５が最も突き出した位置にあり、一方、図２は、入れ子式チューブ４が第２入れ子式チューブ上に第２入れ子式チューブ５の半分の長さに亘って引っ込められていることを示している。
【０００９】
第１入れ子式チューブ４は、取り付け手段７により第１リフト棒１の外方端部６に固定されている。入れ子式チューブ４はその内方端部に第１連結部分８を有する（図３参照）。第２入り子式チューブ５は、その外方端部に第２連結部分９を有する（図３参照）。二つの連結部分８及び９は、入り子式チューブ４が、入り子式棒１と共に移動すると、連結部分８が、連結部分９により急激に引っ掛けられ、それにより、第２入り子式チューブ５が第１入り子式チューブ４に追随するように作動する。入り子式チューブ４が反対方向に移動すると、連結部分８は、連結部分９から離れて移動し、取り付け手段７が第２入り子式チューブの外方端部１０で支えることにより、第２入り子式チューブ５が、第２リフト棒２上で内方に押圧される（図３参照）。
【００１０】
図３に見られるように、ベアリングリング１０は、第２入れ子式チューブ５の外方端部に取り付けられている。このベアリングリングの内側周囲は、第１リフト棒１の外側に接触し、リフト棒１に沿ってスライドする。これにより、第２入れ子式チューブ５の外方端部は、リフト棒１により支えられる。リフト棒２は、その外方端部にベアリングチューブ１１を有し、第２入れ子式チューブ５は、そのベアリングチューブ１１上をスライドする。第２入れ子式チューブ５は、その内方端部にベアリングリング１２を有し、そのベアリングリングはリフト棒２上を内方周囲エッジと共にスライドする。第２入れ子式チューブ５が図１に示すように、突き出した位置にあるとき、入れ子式チューブ５は、リフト棒２に取り付けられたストップリング１３により止められている。ストップリングはまた第２入れ子式チューブ５のための案内手段としても機能する。
【００１１】
装置が、図１に示す位置にあるとき、第２入れ子式チューブ５は、三つのポイントを介してリフト棒１のために支えとして作用する。第１支持ポイントは矢印Ａによって示される領域にあり、第２支持ポイントはベアリングチューブ１１の領域にあり、そして第３支持ポイントは第２ベアリングリング１２の領域にある。これにより、リフト棒１は、チューブ１１の領域での曲げに対して強化される。
【００１２】
本発明は、二つの入れ子式リフト棒との関係で述べられたが、同様な強化方法は、例えば、三つの入り子式リフト棒についても調整することができる。更に入れ子式チューブ５を全長に亘って、従って、第２ベアリングリング１２及びチューブ１１がなく、リフト棒２上をスライドさせることが可能である。このことは、図１により、入れ子式チューブはリフト棒２上をその長さの半分と共にスライドすることを意味している。
【００１３】
図１は、また第２入れ子式チューブ５が第２リフト棒２の長さの約半分に対応する長さを有しているとき、第１入れ子式チューブの長さが、その突き出した位置で第１のリフト棒長の約半分になることを示している。入れ子式チューブの長さは、勿論、必要に応じて調整することができるが、重要なことは、第２入れ子式チューブが、内方リフト棒２の外方端部からかなりはなれた点で外側リフト棒を支えるような長さであることである。
【図面の簡単な説明】
【００１４】
【図１】突き出した位置にある二つの入れ子式リフト棒の部分縦断面を横から見た図である。
【図２】引っ込めた位置にある入れ子式棒の部分縦断面である。
【図３】図１の矢印Ａにより描かれた領域の縦断面である。
【符号の説明】
【００１５】
１      第１リフト棒
２      第２リフト棒
３      駆動手段
４      第１入れ子式チューブ
５      第２入れ子式チューブ
６      外側端部
７      取り付け手段
８      第１連結手段
９      第２連結手段
１０    リング（ベアリングリング）
１１    固定リング（ベアリングチューブ）
１２    固定リング（ベアリングリング）
１３    ストップリング
【国際公開パンフレット】
2004527702.tif 000003
2004527702.tif 000004
2004527702.tif 000005
2004527702.tif 000006
2004527702.tif 000007
2004527702.tif 000008
2004527702.tif 000009
2004527702.tif 000010
【国際調査報告】
2004527702.tif 000011
2004527702.tif 000012